(57)【要約】  バイパス漏れ保護性を高めた綿撒糸を与える少なくとも１つの高められた特徴部分を有するタンポン用綿撒糸が提供される。高められた特徴部分は、限定的ではないが、形状、吸収性及びこれらの組合せを含む。また、バイパス漏れ保護性を高めたタンポン用綿撒糸を構成するための少なくとも１つの方法も提供される。
2010508974.tif 000002
【特許請求の範囲】
【請求項１】
少なくとも１つの底部パッドと、
少なくとも１つの上部パッドと、
約１：１．２ないし約１：２．２５のパッドのレイアップ比とを具備するタンポン用綿撒糸。
【請求項２】
前記パッドのレイアップ比が、約１：１．６である請求項１のタンポン用綿撒糸。
【請求項３】
前記少なくとも１つの上部パッドの各々が、約２インチ（約５．０８センチメートル）ないし約６インチ（約１５．２４センチメートル）の長さと、約１インチ（約２．５４センチメートル）ないし約４インチ（約１０．１６センチメートル）の幅とを有する請求項１のタンポン用綿撒糸。
【請求項４】
前記少なくとも１つの上部パッドの各々が、約３．５インチ（約８．８９センチメートル）ないし約５インチ（約１２．７センチメートル）の長さと、約１．５インチ（約３．８１センチメートル）ないし約３インチ（約７．６２センチメートル）の幅とを有する請求項１のタンポン用綿撒糸。
【請求項５】
前記少なくとも１つの上部パッドの各々が、約４インチ（約１０．１６センチメートル）の長さと、約２インチ（約５．０８センチメートル）の幅とを有する請求項１のタンポン用綿撒糸。
【請求項６】
前記少なくとも１つの底部パッドの各々が、約１インチ（約２．５４センチメートル）ないし約４インチ（約１０．１６センチメートル）の長さと、約１インチ（約２．５４センチメートル）ないし約４インチ（約１０．１６センチメートル）の幅とを有する請求項１のタンポン用綿撒糸。
【請求項７】
前記少なくとも１つの底部パッドの各々が、約２インチ（約５．０８センチメートル）ないし約３インチ（約７．６２センチメートル）の長さと、約１．５インチ（約３．８１センチメートル）ないし約３インチ（約７．６２センチメートル）の幅とを有する請求項１のタンポン用綿撒糸。
【請求項８】
前記少なくとも１つの底部パッドの各々が、約２．５インチ（約６．３５センチメートル）の長さと、約２インチ（約５．０８センチメートル）の幅とを有する請求項１のタンポン用綿撒糸。
【請求項９】
約０．５：１ないし約２：１の繊維の質量分配比をさらに具備する請求項１のタンポン用綿撒糸。
【請求項１０】
約０．７５：１ないし約１．５：１の繊維の質量分配比をさらに具備する請求項１のタンポン用綿撒糸。
【請求項１１】
約１：１の繊維の質量分配比をさらに具備する請求項１のタンポン用綿撒糸。
【請求項１２】
前記少なくとも１つの底部パッドと、前記少なくとも１つの上部パッドとが、十字形、山形、菱形、円形、楕円形、正方形、長方形及びこれらの組合せからなるグループから選択されたパッドのレイアップ形状を有する請求項１のタンポン用綿撒糸。
【請求項１３】
前記少なくとも１つの底部パッドと、前記少なくとも１つの上部パッドとが、十字形のパッドのレイアップ形状を有する請求項１のタンポン用綿撒糸。
【請求項１４】
前記少なくとも１つの底部パッドと、前記少なくとも１つの上部パッドとが、セルロース、レーヨン、コットン、パルプ、高吸収性樹脂、吸収発泡体及びこれらの組合せからなるグループから選択された材料を含む請求項１のタンポン用綿撒糸。
【請求項１５】
液体透過性のカバースティックをさらに具備する請求項１のタンポン用綿撒糸。
【請求項１６】
少なくとも１つの底部パッドと、
少なくとも１つの上部パッドと、
約１：１．２のパッドのレイアップ比と、
約０．７５：１の繊維の分配比とを具備するタンポン用綿撒糸。
【請求項１７】
少なくとも１つの底部パッドと、
少なくとも１つの上部パッドと、
約１：２．２５のパッドのレイアップ比と、
約１．５：１の繊維の分配比とを具備するタンポン用綿撒糸。
【請求項１８】
少なくとも１つの底部パッドと、
少なくとも１つの上部パッドと、
約１：１．６のパッドのレイアップ比と、
約１：１の繊維の分配比とを具備するタンポン用綿撒糸。
【請求項１９】
少なくとも１つの底部パッドと、
少なくとも１つの上部パッドと、
０．１５よりも大きな平均容積率とを具備するタンポン用綿撒糸。
【請求項２０】
前記平均容積率は、約０．２よりも大きい請求項１９のタンポン用綿撒糸。
【請求項２１】
約１：１．２５のパッドのレイアップ比をさらに具備する請求項１９のタンポン用綿撒糸。
【請求項２２】
約１：１の繊維の分配比をさらに具備する請求項１９のタンポン用綿撒糸。
【発明の詳細な説明】
【技術分野】
【０００１】
本発明は、一般的に、タンポン用綿撒糸に関する。特に、本発明は、バイパス漏れ保護性（bypass leakage protection）を高めたタンポン用綿撒糸に関する。
【背景技術】
【０００２】
体内（in-vivo）試験と体外（in-vitro）試験との両方が、現在のタンポン用綿撒糸はバイパス漏れを十分に保護しないことを示している。体内試験は、一般的な女性が膣腔内にタンポン用綿撒糸を深く入れ過ぎ、このタンポン用綿撒糸が流動体（fluid）を吸収するのに最適な位置に配置されないことを示している。また、体外試験は、タンポン用綿撒糸の膨張が最適でないことを示している。さらに、これら洞察に関して、タンポン用綿撒糸が、早期の漏れ、即ちバイパス漏れする傾向にあることが知られている。
【０００３】
従来技術において、バイパス漏れに対処しようとする多くの試みがなされている。このような例は、膣内に挿入される使用者の体に合わせて設計された様々な予備膨張形状、圧縮形状を有するタンポン用綿撒糸を与えることを含む。予備膨張形状を有するタンポン用綿撒糸に特有の１つの欠点は、このような形状により、予備形状の綿撒糸を代表的な円筒形のアプリケータのバレル内に収容するのが困難であり得ることである。また、予備膨張形状を有するタンポン用綿撒糸は、いったんアプリケータに収容されると、このような形状により、アプリケータのバレルの内壁に余分な力を与える可能性があり、代わって、この力が、取り出し中に、アプリケータからタンポン用綿撒糸を取り出すためのさらなる力を必要とする過度の摩擦を生じる可能性がある。必要なさらなる力は、アプリケータの使用を困難にし、いくつかの場合には、実際に、アプリケータの変形を生じる可能性があり、このアプリケータの使用を非常に困難にしてしまう。
【０００４】
それ故、タンポンの技術において、バイパス漏れを低減させる、又は完全に防ぐ、というタンポン用綿撒糸の必要性を保ち、さらに、従来技術に関する欠点も回避する必要がある。本発明は、このような必要性に対処する。
【発明の概要】
【０００５】
本発明は、バイパス漏れ保護性を高めたタンポン用綿撒糸を提供する。
【０００６】
また、本発明は、綿撒糸の基部での吸収力を高めたこのようなタンポン用綿撒糸を提供する。
【０００７】
さらに、本発明は、綿撒糸の基部での膨張力を高めたこのようなタンポン用綿撒糸を提供する。
【０００８】
さらに、本発明は、所望の綿撒糸の形状が予備膨張を起こすこのようなタンポン用綿撒糸を提供する。
【０００９】
さらに、本発明は、綿撒糸の全長と全幅との少なくとも一方に亘って繊維の質量分配（weight distribution）を変化させたこのようなタンポン用綿撒糸を提供する。
【００１０】
また、本発明は、バイパス漏れ保護性を高めたタンポン用綿撒糸を組立てるための方法も提供する。
【００１１】
本発明のこれら及び他の効果及び利点が、バイパス漏れ保護性を高めた綿撒糸を与える少なくとも１つの高められた特徴部分を含むタンポン用綿撒糸により提供される。このような高められた特徴部分は、限定的ではないが、形状、吸収性又はこれらの組合せを含むことができる。また、本発明は、バイパス漏れ保護性が高められたタンポン用綿撒糸を構成するための少なくとも１つの方法も提供する。
【００１２】
本発明は、限定的ではないが、綿撒糸の基部での高められた吸収力、綿撒糸の基部での高められた膨張力及びこれらの組合せを含む少なくとも１つの高められた特徴部分を有する様々な種類のタンポンに対して設計された特有のタンポン用綿撒糸を提供する。このような高められた特徴部分は、所定のパッドのレイアップ比（lay-up ratio）、繊維の質量分配比（weight distribution ratio）及びこれらの組合せを有するタンポン用綿撒糸を構成することにより果される。このような少なくとも１つの高められた特徴部分の結果として、バイパス漏れ保護性を高めたタンポン用綿撒糸が与えられる。さらに、このような高められた特徴部分は、所望の綿撒糸の形状、即ちこの綿撒糸の予備膨張力を損なわない。それ故、本発明のタンポンアプリケータを収容するために、アプリケータの改良が必要とされない。
【図面の簡単な説明】
【００１３】
【図１】図１は、本発明に係るタンポン用綿撒糸を形成する前の、タンポン用綿撒糸に対して置かれるパッドの上面図である。
【図２】図２は、本発明に従って形成されたタンポン用綿撒糸の一実施の形態の側面図である。
【図３】図３は、本発明に従って形成されたタンポン用綿撒糸の他の実施の形態の側面図である。
【図４】図４は、本発明に従って形成されたタンポン用綿撒糸のさらなる他の実施の形態の側面図である。
【発明を実施するための形態】
【００１４】
図１を参照して、本発明が、参照符号１０により一般的に示されたパッドのレイアップにより例示されている。パッドのレイアップ１０は、少なくとも１つの底部パッド１２と、少なくとも１つの上部パッド１４とを有する。パッドのレイアップ１０は、これら少なくとも１つの底部パッド１２と少なくとも１つの上部パッド１４とによる十字形のパッド形状で図示されているが、十字形に限定されることなく、山形（chevron）、菱形、円形、楕円形、正方形、長方形及びこれらの組合せを含むいかなる適切な形状に形成されても良いことが理解されるであろう。
【００１５】
所定のパッドのレイアップ比で、かつこれらパッドの夫々の面積に基づいて、少なくとも１つの底部パッド１２に少なくとも１つの上部パッド１４を与えることによって、高められたバイパス漏れ保護性を与える様々な所望のタンポン用綿撒糸の形状が果され得ることが、予期せず明らかとなった。ここで、面積は、長さ×幅として定義される（深さのファクタはない）。パッドのレイアップ比は、前記少なくとも１つの底部パッド１２対前記少なくとも１つの上部パッド１４の比として定義され、前記少なくとも１つのパッドの面積は、単一の平面として計算される。それ故、複数のパッドの積み重ねが果されることができるが、この積み重ねは、前記少なくとも１つのパッドの計算された面積を増加させない。
【００１６】
再び図１を参照すると、前記少なくとも１つの上部パッド１４の各々は、長さ１５と幅１６とを有する。また、前記少なくとも１つの底部パッド１２の各々は、長さ１７と幅１８とを有する。
【００１７】
一実施の形態では、前記少なくとも１つの上部パッド１４の各々は、約２インチ（約５．０８センチメートル）ないし約６インチ（約１５．２４センチメートル）の長さ１５を有する。他の実施の形態では、前記少なくとも１つの上部パッド１４の各々は、約３．５インチ（約８．８９センチメートル）ないし約５．０インチ（約１２．７センチメートル）の長さを有する。さらなる他の実施の形態では、前記少なくとも１つの上部パッド１４の各々は、約４インチ（約１０．１６センチメートル）の長さを有する。
【００１８】
一実施の形態では、前記少なくとも１つの上部パッド１４の各々は、約１インチ（約２．５４センチメートル）ないし約４インチ（約１０．１６センチメートル）の幅１６を有する。他の実施の形態では、前記少なくとも１つの上部パッド１４の各々は、約１．５インチ（約３．８１センチメートル）ないし約３インチ（約７．６２センチメートル）の幅を有する。さらなる他の実施の形態では、前記少なくとも１つの上部パッド１４の各々は、約２インチ（約５．０８センチメートル）の長さを有する。
【００１９】
一実施の形態では、前記少なくとも１つの底部パッド１２の各々は、約１インチ（約２．５４センチメートル）ないし約４インチ（約１０．１６センチメートル）の長さ１７を有する。他の実施の形態では、前記少なくとも１つの底部パッド１２の各々は、約２インチ（約５．０８センチメートル）ないし約３インチ（約７．６２センチメートル）の長さを有する。さらなる他の実施の形態では、前記少なくとも１つの底部パッド１２の各々は、約２．５インチ（約６．３５センチメートル）の長さを有する。
【００２０】
一実施の形態では、前記少なくとも１つの底部パッド１２の各々は、約１インチ（約２．５４センチメートル）ないし約４インチ（約１０．１６センチメートル）の幅１８を有する。他の実施の形態では、前記少なくとも１つの底部パッド１２の各々は、約１．５インチ（約３．８１センチメートル）ないし約３インチ（約７．６２センチメートル）の幅を有する。さらなる他の実施の形態では、前記少なくとも１つの底部パッド１２の各々は、約２インチ（約５．０８センチメートル）の幅を有する。
【００２１】
本発明の一実施の形態では、前記パッドのレイアップ比は、約１：１．２ないし約１：２．２５である。本発明の他の実施の形態では、前記パッドのレイアップ比は、約１：１．６である。
【００２２】
本発明の他の重要な態様は、前記少なくとも１つの底部パッド１２と前記少なくとも１つの上部パッド１４との間の繊維の質量分配比である。繊維の質量分配比は、前記少なくとも１つの底部パッド１２の繊維の質量分配対前記少なくとも１つの上部パッド１４の繊維の質量分配の比として定義される。
【００２３】
本発明に係わる一実施の形態では、前記繊維の質量分配比は、約０．５：１ないし約２：１である。本発明の他の実施の形態では、前記繊維の質量分配比は、約０．７５：１ないし約１．５：１である。本発明のさらなる他の実施の形態では、前記繊維の質量分配比は、約１：１である。
【００２４】
前記少なくとも１つの底部パッド及び少なくとも１つの上部パッドを形成するために使用される適切な材料は、限定的ではないが、セルロース、レーヨン、コットン、パルプ、高吸収性樹脂、吸収発泡体及びこれらの組合せを含む。
【００２５】
必要であれば、タンポン用綿撒糸は、液体透過性のカバースティックを有することができる。適切なカバースティック材料は、限定的ではないが、レーヨン、コットン、複合繊維又は既知の他の適切な天然繊維又は合成繊維を含むことができる。レーヨン、ポリエチレン、ポリプロピレン及びこれらの混合物が、カバースティック材料としての使用に特に適している。
【００２６】
以下の例では、本発明に係わる様々な実施の形態が説明される。これら例は、本発明の範囲を限定することを意図するものではない。
【００２７】
水分に晒された後の綿撒糸の形状は、本発明に係わり上述された比に従って変化することができる。
【００２８】
例１  
約１：１．２のパッドのレイアップ比と、約０．７５：１の繊維の分配比とを有するタンポン用綿撒糸２０が、形成されることができる。図２を参照すると、このような比を有するタンポン用綿撒糸２０は、わずかに涙滴又は円筒形状である直線的な側壁を有する。
【００２９】
例２  
約１：２．２５のパッドのレイアップ比と、約１．５：１の繊維の分配比とを有するタンポン用綿撒糸３０が、形成されることができる。図３を参照すると、このような比を有するタンポン用綿撒糸３０は、涙滴形状を有する。
【００３０】
例３  
約１：１．６のパッドのレイアップ比と、約１：１の繊維の分配比とを有するタンポン用綿撒糸４０が、形成されることができる。図４を参照すると、このような比を有するタンポン用綿撒糸４０は、涙滴形状に対して段階的に減少した複数の層状（multi-tiered）形状を有する。
【００３１】
比較例４ないし６  
本発明のタンポン用綿撒糸と比較するために使用される比較例として使用されるために、いくつかの市販のタンポン用綿撒糸が小売店から購入された。比較例４のタンポン、即ちタンポン用綿撒糸は、Ｐ＆Ｇ社から入手可能なTampaxオリジナル（スーパー）タンポンである。比較例５のタンポン、即ちタンポン用綿撒糸は、Ｐ＆Ｇ社から入手可能なTampax Pearl（スーパー）無香料タンポンである。比較例６は、Kimberly Clark社から入手可能なKotex Securityスーパータンポンである。
【００３２】
例７  
約６０のタンポン用綿撒糸が、本発明に従って形成され、試験された。これらは、例１に示したものと類似している。これらタンポン用綿撒糸は、約１：１．２５のパッドのレイアップ比と、約１：１の繊維の分配比とを有するように形成された。特に、底部パッド（２．２５インチ×２．５インチの第１のGalaxy-basedウェブ）と上部パッド（４インチ×１．７５インチの第２のGalaxy-basedウェブ）とが、これらタンポン用綿撒糸を形成するために使用された。ハロゲン水分分析器（Mettler-Toledo）により測定された上部（即ち内部）パッドの水分は、約９．７８％であった。また、底部（即ち外部）パッドの水分は、１１．５５％であった。タンポン用綿撒糸の質量は、２．６０ｇ（平均値）±０．０３ｇ（標準偏差）であった。これらタンポン用綿撒糸は、全て、本発明に係わりここで説明されたようにして構成された。
【００３３】
上記の例のタンポンアプリケータを形成するために、夫々のパッドは、本発明に従って十字形のパッドの形状で構成され、注意深く計量された。ハウニ（Hauni）マシンを使用して、この十字形のパッドのタンポン用綿撒糸が、円筒形のタンポン綿撒糸を形成するように、適切にサイズが設定された（約０．２５インチ（約０．６３５センチメートル））溝付きラムを使用して、円筒形状の移送チューブ内に送られ、折り畳まれた。そして、この綿撒糸は、他のラムを使用して暖められたオーブンチューブ（内径約０．５インチ（約１．２７センチメートル）、華氏約２２０度）内に再び移動されて、予備加熱ＩＲコンベヤオーブン（赤外線加熱技術、ＬＬＣ）により伝熱された。そして、このようにして加熱され、圧縮された円筒形のタンポン用綿撒糸は、わずかに大きな直径のストリンガチューブへと移動された。このチューブ内では、ナランコートされた（Nalan-coated）ひもがつけられて結ばれるように、針が通される。ひもを付けた後、タンポン用綿撒糸は、標準的なGentle Glide（商標）プラスチックアプリケータに与えられる。そして、このアプリケータの花弁部（petal）が、華氏約２００度に加熱され、これらの形状に近いように、形作られる。完成したタンポン用綿撒糸は、少なくとも１日間、収容される。そして、試験が、上述のように行われた。
【００３４】
シンジャイナ吸収性（Syngyna absorbency）が、米国官報のPart 801, 801.430で概略が述べられたように、ＦＤＡに指示された代表的な試験過程に従って評価された。このような２０のタンポン用綿撒糸に対して測定されたシンジャイナ吸収性は、超吸収性のタンポン用綿撒糸と一致し、１０．９３±０．２９グラムであった。
【００３５】
容積（positive displacement）試験として知られているような、改良されたシンジャイナ吸収性テストが行われた。通常のＦＤＡ過程に対し、この改良では、タンポン用綿撒糸が入れられるコンドームの周りのチューブの内部で２７℃の水分を絶えず循環させる代わりに、シンジャイナチューブの上部よりも３インチ（７．６２センチメートル）高い所に配置されたビュレットに水が入れられた。このビュレット内の水分レベルは、シンジャイナ試験の開始時にはゼロセベルであるように調節された。そして、図３の涙滴形状と同様の形状を形成するように膨張されたタンポン用綿撒糸となるように、チューブ内の水分レベルが増加された。この増加は、３０秒毎に監視された。
【００３６】
この試験の目的は、シンジャイナ吸収性実験中に急速に膨張されるタンポン用綿撒糸の体積を確認することと、比較例４ないし６の比較可能な市販のタンポン用綿撒糸に対するこれらの結果を比較することとである。
【００３７】
以下の表１に、これら試験の結果を示す。これら例の各々に対して、２０のタンポン用綿撒糸が、上述の過程を使用して試験された。タンポン用綿撒糸の質量は、製造元から製造元へとわずかに変化するので、公平な方法で増加率を示すために、表１は、標準化された勾配を、即ち平均的な綿撒糸の質量で割った容積増加率対時間の比を示している。この表が示すように、本発明のタンポン用綿撒糸は、既存の市販の製品よりも統計的にかなり高い増加率を示している。著しくは、平均容積率（average positive displacement rate）が０．１４５よりも大きい。好ましくは、平均容積率が約０．２よりも大きい。
【表１】
2010508974.tif 000003
【００３８】
本発明に係わるタンポン用綿撒糸は、表１で例７により例示されるように、タンポン用綿撒糸の底部近くで非常に優れた吸収力を有する。このようにして各タンポン用綿撒糸の吸収材料を構成した結果、バイパス漏れを低減させる綿撒糸の膨張性を高める。
【００３９】
体内試験における容積は、本発明のタンポン用綿撒糸が、他の手段で形成されたタンポン用綿撒糸よりもかなり速く膨張することを示している。さらに、体内試験と共に、改良された質量及び面積の分配により、膨張中にこれらタンポン用綿撒糸が受け、観測される形状は、本発明のタンポン用綿撒糸が、最も適切なプラグであり、かくしてより効果的なバイパス漏れ保護性を与えることを示している（図を見よ）。
【００４０】
本発明が、少なくとも１つの例示的な実施の形態を参照して説明されてきたが、当業者にとって、本発明の範囲から逸脱することなく、同等の及び代わりの構成要素が与えられることが理解されるであろう。さらに、様々な修正が、本発明の範囲から逸脱することなく、本発明の教示に係わる状況又は材料を用いて形成されることができるであろう。
【図１】
2010508974.tif 000004
【図２】
2010508974.tif 000005
【図３】
2010508974.tif 000006
【図４】
2010508974.tif 000007
【手続補正書】
【提出日】平成21年8月3日(2009.8.3)
【手続補正１】
【補正対象書類名】特許請求の範囲
【補正対象項目名】請求項１
【補正方法】変更
【補正の内容】
【請求項１】
少なくとも１つの底部パッドと、
少なくとも１つの上部パッドと、
約１：１．２ないし約１：２．２５のパッドのレイアップ比とを具備し、
前記少なくとも１つの底部パッド及び少なくとも１つの上部パッドは、膨張する前に、圧縮された円筒形のタンポン用綿撒糸を形成しているタンポン用綿撒糸。
【手続補正２】
【補正対象書類名】特許請求の範囲
【補正対象項目名】請求項９
【補正方法】変更
【補正の内容】
【請求項９】
前記少なくとも１つの底部パッドの繊維の質量分配と前記少なくとも１つの上部パッドの繊維の質量分配とが約０．５：１ないし約２：１である繊維の質量分配比をさらに具備する請求項１のタンポン用綿撒糸。
【手続補正３】
【補正対象書類名】特許請求の範囲
【補正対象項目名】請求項１０
【補正方法】変更
【補正の内容】
【請求項１０】
前記少なくとも１つの底部パッドの繊維の質量分配と、前記少なくとも１つの上部パッドの繊維の質量分配とが約０．７５：１ないし約１．５：１である繊維の質量分配比をさらに具備する請求項１のタンポン用綿撒糸。
【手続補正４】
【補正対象書類名】特許請求の範囲
【補正対象項目名】請求項１１
【補正方法】変更
【補正の内容】
【請求項１１】
前記少なくとも１つの底部パッドの繊維の質量分配と前記少なくとも１つの上部パッドの繊維の質量分配とが約１：１である繊維の質量分配比をさらに具備する請求項１のタンポン用綿撒糸。
【手続補正５】
【補正対象書類名】特許請求の範囲
【補正対象項目名】請求項１６
【補正方法】変更
【補正の内容】
【請求項１６】
少なくとも１つの底部パッドと、
少なくとも１つの上部パッドと、
約１：１．２のパッドのレイアップ比と、
前記少なくとも１つの底部パッドの繊維の質量分配と前記少なくとも１つの上部パッドの繊維の質量分配とが約０．７５：１である繊維の分配比とを具備し、
前記少なくとも１つの底部パッド及び少なくとも１つの上部パッドは、膨張する前に、圧縮された円筒形のタンポン用綿撒糸を形成しているタンポン用綿撒糸。
【手続補正６】
【補正対象書類名】特許請求の範囲
【補正対象項目名】請求項１７
【補正方法】変更
【補正の内容】
【請求項１７】
少なくとも１つの底部パッドと、
少なくとも１つの上部パッドと、
約１：２．２５のパッドのレイアップ比と、
前記少なくとも１つの底部パッドの繊維の質量分配と前記少なくとも１つの上部パッドの繊維の質量分配とが約１．５：１である繊維の分配比とを具備し、
前記少なくとも１つの底部パッド及び少なくとも１つの上部パッドは、膨張する前に、圧縮された円筒形のタンポン用綿撒糸を形成しているタンポン用綿撒糸。
【手続補正７】
【補正対象書類名】特許請求の範囲
【補正対象項目名】請求項１８
【補正方法】変更
【補正の内容】
【請求項１８】
少なくとも１つの底部パッドと、
少なくとも１つの上部パッドと、
約１：１．６のパッドのレイアップ比と、
前記少なくとも１つの底部パッドの繊維の質量分配と前記少なくとも１つの上部パッドの繊維の質量分配とが約１：１である繊維の分配比とを具備し、
前記少なくとも１つの底部パッド及び少なくとも１つの上部パッドは、膨張する前に、圧縮された円筒形のタンポン用綿撒糸を形成しているタンポン用綿撒糸。
【手続補正８】
【補正対象書類名】特許請求の範囲
【補正対象項目名】請求項１９
【補正方法】変更
【補正の内容】
【請求項１９】
少なくとも１つの底部パッドと、
少なくとも１つの上部パッドと、
０．１５よりも大きな平均容積率とを具備し、
前記少なくとも１つの底部パッド及び少なくとも１つの上部パッドは、膨張する前に、圧縮された円筒形のタンポン用綿撒糸を形成するタンポン用綿撒糸。
【手続補正９】
【補正対象書類名】特許請求の範囲
【補正対象項目名】請求項２２
【補正方法】変更
【補正の内容】
【請求項２２】
前記少なくとも１つの底部パッドの繊維の質量分配と前記少なくとも１つの上部パッドの繊維の質量分配とが約１：１である繊維の分配比をさらに具備する請求項１９のタンポン用綿撒糸。
【国際調査報告】
2010508974.tif 000008